(57)【特許請求の範囲】
【請求項１】
集光点でブレイクダウンを発生させるパルスレーザ光を出射するパルスレーザ光源と、レーザ光の集光点を３次元的に移動する移動光学系を有する照射光学系と、を備え、レーザ光によって角膜内の組織を屈折矯正量に対応したレンズ状組織に切断する眼科用レーザ手術装置において、
前記レンズ状組織を分離させずに連結させた状態で、前記レンズ状組織内をレーザ光の照射によってさらに切断するための切断ラインを設定する切断ライン設定手段と、
前記レンズ状組織を前記角膜内から引き出すためにレーザ光の照射によって前記角膜に形成する切開創の形状を設定する切開創設定手段と、
設定された前記切断ライン及び前記切開創の形状に基づいて前記移動光学系を駆動して角膜組織をレーザ光によって切断する制御手段と、
を備え、
前記切断ライン設定手段は、連結した角膜組織が渦巻状となる前記切断ライン、又は連結した角膜組織の両端が前記レンズ状組織の外周に位置し、角膜組織がジグザグ状となる前記切断ラインを設定し、
前記切断ライン設定手段および前記切開創設定手段は、渦巻状またはジグザグ状となる角膜組織の端に前記切開創を配置することを特徴とする眼科用レーザ手術装置。
【発明の詳細な説明】
【技術分野】
【０００１】
本発明は、患者眼（術眼）にレーザ光を照射し、手術するための眼科用レーザ手術装置に関する。
【背景技術】
【０００２】
フェムト秒パルスレーザビーム等の超短パルスレーザビームを照射して患者眼（術眼）の角膜等の組織を切断する装置が知られている（例えば、特許文献１参照）。特許文献１の装置では、微小スポットのレーザ光によって、屈折矯正量に対応したレンズ状に角膜組織を切断し、、角膜に形成した切開創からレンズ状組織を抜き取ることにより、角膜表面の形状が変えられ、屈折矯正が行われる。
【先行技術文献】
【特許文献】
【０００３】
【特許文献１】特表２０１１−５０７５５９号公報
【発明の概要】
【発明が解決しようとする課題】
【０００４】
しかし、上記の装置に手術では、レンズ状組織をそのまま摘出するために、比較的大きな切開創を角膜に形成する必要がある。切開創が大きいと、術後に角膜乱視が誘発される可能性が高くなる。術後の角膜形状の変化を抑えるために、切開創は小さく、切開創への負担も小さいことが望まれる。
【０００５】
本発明は、眼球組織を摘出するために眼球に形成される切開創をできるだけ小さくできる眼科用レーザ手術装置を提供することを技術課題とする。
【課題を解決するための手段】
【０００６】
本発明は、上記課題を解決するために、以下の構成を有することを特徴とする。
（１）  集光点でブレイクダウンを発生させるパルスレーザ光を出射するパルスレーザ光源と、レーザ光の集光点を３次元的に移動する移動光学系を有する照射光学系と、を備え、レーザ光によって角膜内の組織を屈折矯正量に対応したレンズ状組織に切断する眼科用レーザ手術装置において、
前記レンズ状組織を分離させずに連結させた状態で、前記レンズ状組織内をレーザ光の照射によってさらに切断するための切断ラインを設定する切断ライン設定手段と、
前記レンズ状組織を前記角膜内から引き出すためにレーザ光の照射によって前記角膜に形成する切開創の形状を設定する切開創設定手段と、
設定された前記切断ライン及び前記切開創の形状に基づいて前記移動光学系を駆動して角膜組織をレーザ光によって切断する制御手段と、
を備え、
前記切断ライン設定手段は、連結した角膜組織が渦巻状となる前記切断ライン、又は連結した角膜組織の両端が前記レンズ状組織の外周に位置し、角膜組織がジグザグ状となる前記切断ラインを設定し、
前記切断ライン設定手段および前記切開創設定手段は、渦巻状またはジグザグ状となる角膜組織の端に前記切開創を配置することを特徴とする。
【発明の効果】
【０００７】
本発明によれば、眼球組織を摘出するために眼球に形成させる切開創をできるだけ小さくでき、眼球組織の摘出時の切開創への負担を抑えることができる。
【発明を実施するための形態】
【０００８】
以下、本発明の実施の形態を図面に基づいて説明する。図１は、本発明の実施形態である眼科用レーザ手術装置の概略構成図である。なお、本実施形態の装置は、被加工対象物である術眼（患者眼）の眼球組織（角膜、水晶体、等）を加工、切断するための装置である。
眼科用レーザ手術装置１００は、集光点でブレイクダウンを発生させる特性を有するパルスのレーザ光を出射するレーザユニット（レーザ光源）１０、レーザ光を導光しターゲット（眼球組織）に照射するレーザ照射光学系（レーザ照射ユニット）２０、術眼を観察するための観察光学系（観察ユニット）３０、術眼を固定保持するための眼球固定ユニット４０、装置１００を操作するための操作ユニット５０、装置１００の設定・確認等を行う表示手段であるモニタ６０、装置１００を統括・制御する制御部７０、を備えている。
【０００９】
レーザユニット１０は、レーザの集光点（レーザスポット）でプラズマを発生させる（ブレイクダウンを起こす）超短パルスレーザを出射するレーザ光源である。レーザユニット１０としては、フェムト秒からピコ秒オーダーのパルス幅のパルスレーザを出射するデバイスが用いられる。パルスレーザの集光点では、プラズマが発生し、ターゲット組織、ここでは、角膜組織が切断される。
【００１０】
照射光学系２０は、パルスレーザ光のスポットをターゲット面で、二次元的（ＸＹ方向）に走査（偏向）する走査部（光スキャナ）２１と、パルスレーザのスポットを奥行（Ｚ方向）に移動させる焦点移動部（Ｚスキャナ）２２と、レーザの光軸と観察光軸とを合致させるビームスプリッタ２３と、レーザをターゲット面に結像させる結像光学系としての対物レンズ２４と、術眼と接触するアプリケータ２５と、を備えている。走査部２１及び焦点移動部によってレーザ光のスポットを角膜組織内で３次元的に移動する移動光学系が構成される。
【００１１】
走査部２１としては、回転軸が互いに直交する２つのガルバノミラーが用いられる。これにより、レーザスポットが所定の二次元平面（ＸＹ平面）上で走査されることとなる。なお、走査部としては、レゾナントミラー、回転プリズム、ポリゴンミラーとガルバノミラーの組合せによるスキャナ、等を用いることもできる。焦点移動部２２は、対物レンズ２４の上流（レーザユニット１０側）に配置される光学素子を備えている。焦点移動部２２の光学素子を光軸に沿って移動させることによって、レーザのスポット位置を光軸に沿って（Ｚ方向に沿って）移動させる。ビームスプリッタ２３は、レーザ光を反射し、照明光及び照明光の反射光を透過する特性を有するダイクロイックミラーとされる。対物レンズ２４は、パルスレーザをミクロンからサブミクロンオーダーの微小なスポット径として、ターゲット面に結像させる役割を持つ。アプリケータ２５は、透光性を有する（透明な）コンタクトレンズであり、術眼の角膜の圧平に用いられる。このとき、術眼の角膜はアプリケータ２５の前面（接触面）から、一定の位置に位置決めされることとなる。従って、アプリケータ２５は、眼球組織を固定保持すると共に、レーザ照射の位置決めをする役割を持つ。
【００１２】
レーザのスポット位置でブレイクダウンが起こることにより、眼球組織にスポットサイズ程度の機械的破壊（亀裂等）が起こる。レーザのスポットは、走査部２１によりＸＹ方向で移動され、焦点移動部２２でＺ方向に移動されることにより、三次元的に移動される（位置を変えられる）。眼球組織において、レーザのスポットが三次元的に移動され、各スポットが繋げられることにより、眼球組織は三次元的な形状（予め設定されたレーザ照射のパターン）に切断される。レーザ照射のパターンについては詳細を後述する。
【００１３】
観察光学系３０は、二次元撮像素子を有するカメラ３１と、ビームスプリッタ３２、照明光源３３、照明光、術眼での反射光を導光するための導光光学系である光学素子３４、を備えている。ビームスプリッタ３２は、照明光を反射し、術眼からの反射光を透過する特性を有し、ここでは、ハーフミラーとされる。照明光源３３は、可視光等の術眼の照明に適した照明光を発光する。カメラ３１の二次元撮像素子は、例えば、照明光の波長に対して感度を有するイメージャとする。照明光源３３は、赤外光を発する光源であってもよい。なお、観察光学系３０は、対物レンズ２４を共用している。
【００１４】
眼球固定ユニット４０は、吸着リング４１、アプリケータ２５、を備えている。吸着リング４１は、環状の部材であり、前眼部の強膜に当接する形状となっている。吸着リング４１は、図示を略すポンプ等により吸引を受け、吸着リング４１に眼球を吸い付けることで術眼を固定保持する。なお、アプリケータ２５は、眼球固定ユニット４０に共用されている。また、アプリケータは、リング４１の内側に液体を充填する方式でもよい。この場合、レンズ（コンタクトレンズ）と角膜との間に液体が満たされ、角膜はレンズに圧平されない。
【００１５】
操作ユニット５０は、装置１００の設定を行うための入力手段５１と、レーザ照射のトリガ信号を入力するためのフットスイッチ５２と、を備えている。入力手段５１としては、モニタ６０に表示された設定画面で、手術条件等を指定するポインティングデバイスであるマウス、手術条件等の数値、情報を入力するキーボード、等である。
【００１６】
モニタ６０には、カメラ３１によって撮影された術眼の正面像が写しだされる。また、モニタ６０には、手術条件、レーザの照射パターン、等が表示される。
【００１７】
制御部７０は、ＣＰＵ（Central Processing Unit）であり、レーザユニット１０、走査部２１、焦点移動部２２、カメラ３１、照明光源３３、が接続される。また、制御部７０には、制御プログラム、レーザ照射の切断ラインのパターン、設定した手術条件、撮影画像、等を記憶するメモリ７１が接続される。また、メモリ７１には、別の測定装置により取得された測定データ等も記憶される。
【００１８】
次に、レーザ照射の切断パターン（以下、単にパターンと略す）について説明する。図２は、従来のレーザ照射によってレンズ状に切断される角膜組織を説明する図である。図３は、本実施形態のレーザ照射のパターンに基づいてレンズ状組織をさらに切断するラインを持つパターンの説明図である。図２（ａ）及び図３（ａ）は角膜の正面図、図２（ｂ）及び図３（ｂ）は図２（ａ）、図３（ａ）におけるＡ−Ａ断面図である。図２（ａ）、図３（ａ）は、ＸＹ平面を示し、図２（ｂ）、図３（ｂ）は、ＸＺ平面を示している。ここでは、説明の簡便のため、アプラネータ２５の図示を略す。
【００１９】
図２（ｂ）において、術眼２００の角膜２１０の内部に、前側曲面２２０ｆと後側曲面２２０ｒによって囲まれた容量を持つレンズ（凸レンズ）状組織２２０（以下、レンズ２２２０）が点線で示されている。図２（ａ）に示すように、レンズ２２０の縁部（外周円）２２０ｃの径（レンズ２２０の直径）はＤとされる。レンズ２２０が、角膜２１０から取り除かれることによって、角膜（の前面）の曲率が変化する。これによって、角膜２１０全体の屈折力が変化し、術眼２００の視力が矯正されることとなる。ここでは、角膜２１０の前面の曲率が大きくなり、角膜２１０全体の屈折力が低下することにより、術眼２００の近視が矯正される。なお、図２（ａ）において、レンズ２２０は、角膜２１０に形成された幅（切開幅）Ｗａの切開創２１１から（眼球外へと）取り出される（引き抜かれる）。
【００２０】
従って、レンズ２２０の境界部分（前面曲面２２０ｆ及び後面曲面２２０ｒ）が、パターンとなる。また、切開創２１１の形状もパターンに含まれる。なお、レンズ２２０、切開創２１１は、レーザ照射により切断されて形成される。点線で示された位置にレーザのスポットが照射されることで切断された組織が繋がり、角膜２１０内にレンズ２２０が分離した状態で形成されることとなる。なお、レンズ２２０の厚み（前面曲面２２０ｆ及び後面曲面２２０ｒの形状）は、レンズ２２０の度数によって定められる（後述する）。
【００２１】
図３に示すように、本実施形態のパターンでは、図２に示したレンズ２２０をさらに切断するための切断ラインを持つパターンとする。図３（ａ）に示すように、角膜２１０内に形成されるレンズ２３０の形状は、上記のレンズ２２０と同じである。つまり、レンズ２３０の直径はＤであり、前面曲面２３０ｆと後面曲面２３０ｒによって囲まれた容量を持っている。また、レンズ２３０の厚みはレンズ２２０と一致する。
【００２２】
図３（ａ）において、レンズ２３０をさらに切断するための切断ライン２３１を持つパターンが設定される。設定された切断ライン２３１により、レンズ２３０は切断される。切断ライン２３１によって切断されたレンズ２３０の組織は、レンズ２３０の直径Ｄの半分以下の幅を持たせられ、且つ、切断されたレンズ２３０の組織が分離せずに連結した状態とされる。切断されたレンズ２３０の組織の幅が、レンズ２３０の直径Ｄの半分以下であれば、従来の切開創Ｗａよりも小さな切開創からレンズ２３０を取り出すことができる。
【００２３】
本実施形態のパターンは、レンズ２３０を形成するための前面曲面２３０ｆ及び後面曲面２３０ｒと、レンズ２３０をＸＹ平面から見た場合に特定の規則を有する切断ライン２３１と、幅Ｗｂの切開創２１２とによって形成される。ここで、切開創２１２は、図２の切開創２１１と比べて幅（切開幅）が小さく、Ｗａ＞Ｗｂの関係となっている。
【００２４】
レンズ２３０は、点線で示す切断ライン２３１によって切断される。図３(ａ)のパターン例において、切断ライン２３１は、ＸＹ平面（所定の二次元平面）において、繋がった一本の曲線であり、ここでは、レンズ２３０内で切断された組織が渦巻状に連結される渦巻状の曲線とされている。好ましくは、切断ライン２３１によって切断された組織（切断組織）は、切開創２１２から眼球外へと取り出す際に，切開創２１２を通る切断組織が切開創２１２に負担を掛けにくい程度の径（通過点での断面形状）とされる。切断組織の径が、切開創２１２に対して大き過ぎると、切開創２１２に開く力が加わり、切開創２１２の周辺組織の負担となってしまう。また、切断組織は、組織が連結した状態を維持できる程度の強度を持つ径となるように切断されることが良い。切断組織の径が細すぎると、切断組織を引っ張る際等に途中で破談してしまう場合があり、好ましくない。パターン（図形Ｆ）はメモリ７１に記憶されている。
【００２５】
具体的には、ＸＹ平面を基準とした（正面から見た）場合、レンズ２３０は、切断ライン２３１により渦巻状の図形Ｆとして切断される。図形Ｆにおいて、図形上（切断組織）の始点（一端）から終点（他端）まで連結した一つの図形（一体の形状）となっている。切開創２１２側を始点Ｂ、角膜２１０の中心部（中央部）を終点とすると、始点Ｂが、切開創２１２の付近に配置されるように、切断ライン２３１が設定される。これによって、切断組織を取り出す際に、ピンセット等で簡単に切断組織の端部を保持できる。図形Ｆは、切開創２１２から切断組織が取り出されるときに、切断組織、特に、屈曲が大きい箇所、に応力が集中して途中で切れることを抑制する形状となっている。また、図形Ｆは、概ね幅Ｗで、レンズ２３０の中心から外周に向かって旋回するような形状となっている。図形Ｆが、旋回する形状であるため、切断組織が、始点Ｂから眼球外へと引き出されると、始点Ｂから繋がった組織が角膜２１０内を旋回しながら切開創２１２へと移動する。このため、切断された組織の取り出しが滑らかに行われる。また、図形Ｆにおいて、切断された組織の幅Ｗは、概ね、切開創２１２の幅Ｗａの２倍以下とされている。幅Ｗは、ＸＹ平面に対しての幅であり、実際の切断された組織では、Ｚ方向に厚みを持つが、本実施形態では、幅Ｗは、幅Ｗａの２倍以下であるあればよい。これは、以下の条件によって規定される。レンズ２３０の厚みは、術眼によって異なるものの、それ程違いはない。このため、切断組織のＺ方向での断面形状は切断組織の断面形状は、術眼、手術条件によって大きく変わるものではないとする。このため、レンズ２３０の切断は幅Ｗによって規定してよい。
【００２６】
以上のようにして、レンズ２３０の形状と、メモリ７１に記憶された渦巻状のパターンとにより切断ライン２３１が決定される。切断ライン２３１は走査部２１及び焦点移動部２２の制御情報と、レーザユニット１０の駆動情報としてメモリ７１に記憶される。切断ライン３３１の幅Ｗは、操作ユニット５１によって変更できる。
【００２７】
次に、切断ライン２３１を持つパターンの設定について説明する。図４は、モニタ６０の画面を説明する図である。モニタ６０の画面には、正面像表示部６１、手術条件設定部６５、が表示される。
【００２８】
正面画像表示部６１には、術眼の正面像６２が表示され、正面像６２には、パターン６３が重畳表示される。パターン６３は、切断されるレンズ状組織の外周を示す円６３ａ、切開創を示す線６３ｂ、レンズ状組織をさらに切断するための切断ラインを示す曲線６３ｃ、を含んでいる。円６３ａは、正面像６２の導光中心位置に円６３ａの中心が位置するように表示される。線６３ｂは、入力手段５１により配置位置を変更できるようになっている。
【００２９】
手術条件設定部６５には、レンズ状組織の直径Ｄを設定する直径設定部６６、レンズ状組織の形状を決定するための矯正度数（ディオプタ）を設定する度数設定部６７、切開創の幅Ｗｂを設定する切開幅設定部６８、パターン設定部６９、を含む。各設定部は、入力手段５１によって指定され、数値等が設定（入力）されるようになっている。パターン設定部６９では、図３（ａ）の渦巻状のパターンの他、複数の切断パターン（例えば、後述する図５〜図７のパターン）が選択できるようになっている。
【００３０】
直径設定部６６により直径Ｄが設定され、切開幅設定部６８により幅Ｗｂが設定されると、制御部７０は、切断ライン２３１で切断される組織の幅Ｗを算出する。制御部７０は、直径Ｄの半分以下で、好ましくは幅Ｗｂの２倍以下で、直径Ｄを概ね均等に切断できる幅Ｗを算出する。制御部７０は、隣接する曲線６３ｃの幅が概ね幅Ｗとなる切断ライン２３１を示す曲線６３ｃを生成する。制御部７０は、曲線６３ｃの端が、切開創６３ｂ付近に位置させるように、曲線６３ｃを正面像６２に重畳表示させる。
【００３１】
このようにして、術眼の手術条件、切断ラインを含むレーザ照射のパターンが設定される。設定された数値、パターンの切断ラインは、メモリ７１に記憶される。なお、レーザの出力、スキャンレート（単位時間当りのショット数）、等は図示を略すレーザ照射条件設定部により設定する。
【００３２】
以上のような構成を備える装置の動作について説明する。手術に先立ち、術者は手術条件、パターンを設定する。術者は、患者を手術台等に寝かせ、眼球固定ユニット４０により眼球を固定する。術眼は吸着リンク４１で保持され、アプリケータ２５によって圧平される。フットスイッチ４２が術者によって踏まれると、制御部７０は、トリガ信号に基づいてレーザ照射を開始する。制御部７０は、設定された手術条件及びパターンに基づいてレーザを照射する。制御部７０は、パターンが持つ切断ラインの位置に基づいてレーザユニット１０を制御すると共に、走査部２１及び焦点移動部２２を制御する。このとき、制御部７０は、レーザのスポットを、パターンの後面から前面に向かって移動させる。角膜２１０内には、レンズ２３０が切断ライン２３１によってさらに切断された切断組織が形成される。また、角膜２１０には、切開創２１２が形成される。
【００３３】
レーザ照射が終わると、術者は、切開創２１２からピンセット等を角膜２１０内部に挿入する。術者は、切断組織の先端（図形Ｆにおける始点Ｂ）を掴み、切開創２１２から切断組織を取り出す（摘出）する。
【００３４】
このようにして、レンズ２３０が角膜２１０から取り除かれ、角膜２１０の屈折力が変わり、術眼２００の視力が矯正される。このような手術において、レンズ２３０は、切断され、切開創２１２を通る際の断面形状が小さくなっているため、切開創２１２に負担を掛け難い。また、摘出する組織を小さくすることで、切開創２１２の幅Ｗｂを小さくできる。これにより、術後の角膜乱視の誘発が軽減される。また、レンズ２３０は、一体の組織となっているため、切断組織の端部を切開創２１２から引き出すことで、すべての組織を取り除くことができ、手術時間を短縮できる。
【００３５】
なお、図３（ａ）、（ｂ）においては、レンズ２３０として近視矯正用の凸状の例を示したが、遠視矯正用の凹状であっても良い。また、乱視矯正の場合には、さらに円柱成分をも持つ切断形状とされる。
【００３６】
なお、以上の説明では、眼球の角膜組織を渦巻状に切断するパターンを例に挙げたが、これに限るものではない。摘出されるレンズ２３０の直径の半分以下の幅で、切断されたレンズ２３０の組織が分離せずに連結している状態であれば、その図形パターンは限定されない。図５〜図７は、切断ラインのパターンの変容例を示す図である。
【００３７】
図５の例においては、切断ライン２３１は、レンズ２３０の外周から中心に至る１本の直線としての規則で設定されている。この例の場合、切断される組織の幅Ｗは、切断ライン２３１によって、レンズ２３０の直径Ｄの半分とされる。切断ライン２３１の長さは、入力されたレンズ２３０の直径Ｄに基づいて決定される。また、切開創２１２の位置が予め入力されることにより、切断ライン２３１の方向が決定される。この例の場合でも、少なくとも、図２（ａ）の従来例に対して、切開創２１２の幅を小さくできる。
【００３８】
図６は、図５に対して、切断される組織の幅Ｗをさらに小さくする例であり、角膜組織がジグザク状とするための複数の切断ライン２３１を持つ規則のパターンの例である。この例の場合、連結した角膜組織の両端Ｃ１及びＣ２は、レンズ状組織２３０の外周に位置する。幅Ｗは、切開創２１２の幅Ｗｂが入力されることにより、幅Ｗｂの２倍以下のサイズで、好ましくは、幅Ｗｂと同じ程度の幅で決定される。幅Ｗが決定され、また、レンズ２３０の直径Ｄが入力されることにより、これらに基づいて切断ライン２３１の数とそれぞれの長さが決定される。また、切開創２１２の位置が先に設定されると、切断ライン２３１の方向が切開創２１２の位置に基づいて決定される。すなわち、連結した角膜組織の端Ｃ１又は端Ｃ２が切開創２１２の付近に位置するように、切断ライン２３１の方向が決定される。なお、幅Ｗは入力部により任意に指定されても良い。
【００３９】
図６の例においては、図５に対して、幅Ｗが小さくされているので、さらに切開創２１２の幅Ｗｂを小さくできる。
【００４０】
図７は、図６のジグザク状パ-+ターンの更なる変容例である。図６が直線のジグザク状であったものに対して、一部にレンズ２３０の外周に沿った曲線の切除ラインを持つパターンである。図７のパターンにおいても、この例においても、切開創２１２の幅Ｗｂが入力されることにより幅Ｗが決定され（又は任意に幅Ｗが入力され）、幅Ｗ及びレンズ２３０の直径Ｄに基づいて切断ライン２３１の数及び長さが決定される。切断ライン２３１の方向と、連結した角膜組織の両端Ｃ１及びＣ２の位置は、切開創２１２の位置に基づいて決定されるか、又は、任意に設定される。
【００４１】
なお、以上の説明では、レンズ２３０を分離しない一つの組織（図形）となるようにパターンを設定する構成としたが、これに限るものではない。眼球組織の摘出時の切開創の負担を小さくできればよく、切開創を小さくできればよい。組織（レンズ２３０）を２つ以上の小片に分割するパターンを設定する構成としてもよい。この場合、分割された組織は、分離することなく連結した状態を保つサブパターンによって形成される。例えば、レンズを２つのサブパターンに分割し、これら２つのサブパターンを含むものを切断のパターンとする。サブパターンとしては、渦巻状が挙げられる。共に渦巻き状である第１サブパターンと第２サブパターンとが、互いに噛み合うようなパターンとする。この場合、例えば、２つの切開創を角膜の対向した位置に形成し、それぞれの切開創から、第１サブパターンにより切断された組織と、第２サブパターンにより切断された組織を取り出す構成としてもよい（パターンを設定してもよい）。これにより、一つの切開創の切開幅を小さくできる。なお、複数のサブパターンを含むパターンによって切断された組織を、一つの切開創から取り出す構成としてもよい。
【００４２】
なお、以上の実施形態では、レーザとしてフェムト秒パルス種光レーザを用いたが、これに限るものではない。加熱を伴わず、対象物の材質も選ばず、ミクロンオーダの微細な加工が可能、透明対象物の内部加工が可能、等の特性を持つピコ秒パルス等の超短パルスのレーザビームを発するものであればよい。
【００４３】
以上のように本発明は実施形態に限られず、種々の変容が可能であり、本発明はこのような変容も技術思想を同一にする範囲において含むものである。
【図面の簡単な説明】
【００４４】
【図１】本発明の実施形態である眼科用レーザ手術装置の概略構成図である。
【図２】従来のレーザ照射によってレンズ状に切断される角膜組織を説明する図である。
【図３】本実施形態のレーザ照射のパターンに基づいてレンズ状組織をさらに切断するラインを持つパターンの説明図である。
【図４】モニタの画面を説明する図である。
【図５】切断ラインのパターンの変容例を説明する図である。
【図６】角膜組織をジグザグ状に切断するパターンを説明する図である。
【図７】図６のパ+ターンの更なる変容例を説明する図である。
【符号の説明】
【００４５】
１０  レーザユニット
２０  照射光学系
２１  走査部
２２  焦点移動部
３０  観察光学系
４０  眼球固定ユニット
５０  操作ユニット
６０  モニタ
７０  制御部
１００  眼科用レーザ手術装置
【図１】
0005838598.tif 000002
【図２】
0005838598.tif 000003
【図３】
0005838598.tif 000004
【図４】
0005838598.tif 000005
【図５】
0005838598.tif 000006
【図６】
0005838598.tif 000007
【図７】
0005838598.tif 000008